(57)【特許請求の範囲】
【請求項１】
システムであって、
特定の動作周波数で電磁的に情報を無線で送信するように構成される埋め込み型アンテナであって、前記特定の動作周波数は、前記埋め込み型アンテナの部分の特定の形状に基づいて決定される、前記埋め込み型アンテナと、
埋め込み型デバイスハウジングに結合された埋め込み型誘電体コンパートメントであって、埋め込み型誘電体コンパートメントの外側表面内にチャネルと、第１のインターロッキング特徴部と、前記チャネルに結合されたキャップであって、第２のインターロッキング特徴部を含み、前記第１および第２のインターロッキング特徴部は、前記キャップを前記チャネルに結合するように構成される、前記キャップとを含む、前記埋め込み型誘電体コンパートメントとを備え、
前記チャネルは、前記埋め込み型アンテナの部分を、前記埋め込み型アンテナの部分の長さに沿った特定の形状で制限するように形成され、
前記チャネルは、テーパ付きチャネルを含み、前記キャップは、前記埋め込み型アンテナの部分を前記テーパ付きチャネル内部に特定の形状で配置するように形成される、システム。
【請求項２】
前記チャネルは、前記埋め込み型アンテナの断面積より小さい断面積を有する狭い部分を含み、前記狭い部分は、前記埋め込み型アンテナを前記チャネル内部に配置するように形成される、請求項１に記載のシステム。
【請求項３】
前記埋め込み型アンテナは、前記埋め込み型アンテナの部分を覆うポリマーを含み、前記ポリマーは、前記チャネルの前記狭い部分内に締りばめを提供する、請求項２に記載のシステム。
【請求項４】
前記埋め込み型アンテナは、特定の動作周波数を使用して生物学的媒体内から電磁的に情報を無線で送信するように構成され、前記特定の動作周波数は、前記生物学的媒体内の前記埋め込み型アンテナの前記特定の形状に基づいて決定される、請求項１から３のいずれか１項に記載のシステム。
【請求項５】
前記埋め込み型アンテナは、前記チャネル内に配置されるように構成されたワイヤアンテナを含み、
前記埋め込み型誘電体コンパートメントは、第３のインターロッキング特徴部を含み、前記キャップは、第４のインターロッキング特徴部を含み、前記第３および第４のインターロッキング特徴部は、前記第１および第２のインターロッキング特徴部と離間し、
前記第１および第２のインターロッキング特徴部は、前記埋め込み型アンテナ上の第１のポイントにおいて前記キャップを前記チャネルに結合するように構成され、前記第２および第３のインターロッキング特徴部は、第２のポイントにおいて前記キャップを前記チャネルに結合するように構成され、前記埋め込み型アンテナの遠位端は、前記第１、第２、第３、および第４のインターロッキング特徴部が前記チャネル内で前記埋め込み型アンテナの遠位端を固定するよう構成されるように、前記第１のポイントと前記第２のポイントとの間に実質的に位置するように構成される、請求項１から４のいずれか１項に記載のシステム。
【請求項６】
システムの製造方法であって、
埋め込み型誘電体コンパートメントの外側表面内にテーパ付きチャネルを設けることであって、前記テーパ付きチャネルは、埋め込み型アンテナの部分を、前記埋め込み型アンテナの部分の長さに沿った特定の形状で制限するように形成される、前記テーパ付きチャネルを設けること、
前記テーパ付きチャネル内部に前記埋め込み型アンテナを配置すること、
前記テーパ付きチャネル内で前記埋め込み型アンテナの部分を覆い、前記テーパ付きチャネル内部で前記特定の形状で前記埋め込み型アンテナを配置するように構成されたキャップを設けることであって、前記キャップは、前記埋め込み型誘電体コンパートメントの第１のインターロッキング特徴部および前記キャップの第２のインターロッキング特徴部を使用して前記テーパ付きチャネルに結合する、前記キャップを設けることを備え、
前記埋め込み型アンテナを使用して、特定の動作周波数で電磁的に情報が無線で送信され、
前記特定の周波数は、前記埋め込み型アンテナの部分の前記特定の形状に基づいて決定される、方法。
【請求項７】
前記電磁的に情報を無線で送信することは、前記埋め込み型アンテナを使用して生物学的媒体内から、特定の動作周波数で電磁的に情報を無線で送信することを含み、前記特定の動作周波数は、前記生物学的媒体内の前記埋め込み型アンテナの部分の前記特定の形状に基づいて決定される、請求項６に記載の方法。
【請求項８】
前記埋め込み型アンテナの断面積より小さい断面積を有する狭い部分を、前記テーパ付きチャネル内に設けることを含み、前記狭い部分は、前記埋め込み型アンテナを前記テーパ付きチャネル内部に配置するように形成される、請求項６又は７に記載の方法。
【請求項９】
前記埋め込み型アンテナの部分を覆うポリマーと前記テーパ付きチャネルの前記狭い部分との間に締りばめを提供することを含み、前記テーパ付きチャネルは、前記埋め込み型アンテナのために前記特定の形状を提供するようにサイズ決定され形作られる、請求項８に記載の方法。
【発明の詳細な説明】
【背景技術】
【０００１】
優先権の利益は、その出願が参照によりその全体が本明細書に組込まれる２００８年１０月１６日に出願された米国仮出願シリアル番号第６１／１０６，０６８号および２００９年７月１６日に出願された米国仮出願シリアル番号第６１／２２８，１０９号に対して主張される。
【０００２】
医療デバイスは、身体内のまたはその他の方法で身体に関連する生理的情報を、監視するか、検出するか、または検知すること、生理的状態または疾病を診断すること、生理的状態または疾病を処置する、または、生理的状態または疾病について治療を提供すること、あるいは、器官または組織の機能を回復させる、または、その他の方法で機能を変化させることを含むタスクを実施するために、身体内に埋め込まれうる。埋め込み型医療デバイスの例は、ペースメーカ、心臓再同期治療デバイス、カルディオバータまたは除細動器などの心臓律動管理デバイス、神経刺激器、神経筋刺激器、あるいは薬剤送達システムを含みうる。いくつかの例では、埋め込み型医療デバイスは、テレメトリ回路およびテレメトリ回路に結合したアンテナを含むことができ、それらの組合せは、たとえば埋め込み型医療デバイスから外部デバイスへ情報（生理的情報または他の情報など）を送出し、埋め込み型医療デバイスにおいて外部デバイスからの情報（たとえば、プログラミング命令など）を受信するために、埋め込み型医療デバイスと外部デバイスとの間の無線通信を提供するように構成されうる。
【０００３】
磁気結合は、身体内に埋め込まれた埋め込み型医療デバイスと外部デバイスとの間で、または、身体の外部の埋め込み型医療デバイスと外部デバイスとの間で短レンジ（たとえば、数センチメートル）通信を提供するために使用されうる。しかし、磁気結合通信は、近方場放射に主に頼っており、場の分布は、アンテナからの距離およびアンテナの向きに大幅に依存しており、アンテナからの距離およびアンテナの向きは、埋め込み型医療デバイスと外部デバイスとの間の無線通信の有効レンジを大幅に制限する。
【０００４】
磁気結合に対する代替として、または、磁気結合に加えて、磁気結合に優る延長されたレンジを有する低電力無線（radio frequency : RF）通信が、埋め込み型医療デバイスと外部デバイスとの間の通信を提供するために使用されうる。
【先行技術文献】
【特許文献】
【０００５】
【特許文献１】米国仮出願シリアル番号第６１／１０６，０６８号
【特許文献２】米国仮出願シリアル番号第６１／２２８，１０９号
【発明の概要】
【課題を解決するための手段】
【０００６】
ある例では、埋め込み型誘電体コンパートメントは、埋め込み型誘電体コンパートメントの外側表面内にチャネルを含むことができ、チャネルは、埋め込み型アンテナの部分を、埋め込み型アンテナの部分の長さに沿った特定の形状で制限するように形成される。いくつかの例では、埋め込み型アンテナは、埋め込み型アンテナの部分の特定の形状に基づいて決定される特定の動作周波数で電磁的に情報を無線で送信するように構成されうる。
【０００７】
例１では、システムは、埋め込み型デバイスハウジングに結合された埋め込み型誘電体コンパートメントであって、埋め込み型誘電体コンパートメントの外側表面内にチャネルを含む、埋め込み型誘電体コンパートメントを含み、チャネルは、埋め込み型アンテナの部分を、埋め込み型アンテナの部分の長さに沿って特定の形状で制限するように形成され、埋め込み型アンテナは、特定の動作周波数で電磁的に情報を無線で送信するように構成され、特定の動作周波数は、埋め込み型アンテナの部分の特定の形状に基づいて決定される。
【０００８】
例２では、例１のチャネルは、任意選択で、埋め込み型アンテナの断面積より小さい断面積を有する狭い部分を含み、狭い部分は、埋め込み型アンテナをチャネル内部に配置するように形成される。
【０００９】
例３では、例２の埋め込み型アンテナは、任意選択で、埋め込み型アンテナの部分を覆うポリマーを含み、ポリマーは、チャネルの狭い部分内に締りばめを提供し、チャネルは、埋め込み型アンテナのために特定の形状を提供するようにサイズ決定され形作られる。
【００１０】
例４では、例１〜３の任意の１つまたは複数の埋め込み型アンテナは、任意選択で、特定の動作周波数を使用して生物学的媒体内から電磁的に情報を無線で送信すうように構成され、特定の動作周波数は、生物学的媒体内の埋め込み型アンテナの特定の形状に基づいて決定される。
【００１１】
例５では、例１〜４の任意の１つまたは複数の埋め込み型誘電体コンパートメントは、任意選択で、チャネルに結合したキャップを含み、キャップは、チャネルに沿って埋め込み型アンテナの部分を覆うように形成され、例１〜４の任意の１つまたは複数の埋め込み型誘電体コンパートメントは、任意選択で、第１のインターロッキング特徴部を含み、キャップは、第２のインターロッキング特徴部を含み、第１および第２のインターロッキング特徴部は、キャップをチャネルに結合するように構成される。
【００１２】
例６では、例５のチャネルおよびキャップは、任意選択で、埋め込み型アンテナの部分と生物学的媒体との間に、指定された距離を確立するように形成され、指定された距離は、埋め込み型アンテナのインピーダンスを制御するように構成される。
【００１３】
例７では、例５〜６の任意の１つまたは複数のチャネルは、任意選択で、テーパ付きチャネルを含み、キャップは、埋め込み型アンテナの部分をテーパ付きチャネル内部に特定の形状で配置するように形成される。
【００１４】
例８では、例５〜７の任意の１つまたは複数の埋め込み型アンテナは、任意選択で、チャネル内に配置されるように構成されたワイヤアンテナを含み、例５〜７の任意の１つまたは複数の埋め込み型誘電体コンパートメントは、任意選択で、第３のインターロッキング特徴部を含み、キャップは、第４のインターロッキング特徴部を含み、第３および第４のインターロッキング特徴部は、第１および第２のインターロッキング特徴部と離間され、例５〜７の任意の１つまたは複数の第１および第２のインターロッキング特徴部は、任意選択で、埋め込み型アンテナ上の第１のポイントにおいてキャップをチャネルに結合するように構成され、第２および第３のインターロッキング特徴部は、第２のポイントにおいてキャップを前記チャネルに結合するように構成され、埋め込み型アンテナの遠位端は、第１、第２、第３、および第４のインターロッキング特徴部がチャネル内で埋め込み型アンテナの遠位端を固定するよう構成されるように、第１のポイントと第２のポイントとの間に実質的に位置するように構成される。
【００１５】
例９では、例８の埋め込み型誘電体コンパートメントは、任意選択で、第５のインターロッキング特徴部を含み、例８のキャップは、任意選択で、第６のインターロッキング特徴部を含み、第５および第６のインターロッキング特徴部は、第１、第２、第３、および第４のインターロッキング特徴部と離間され、第５および第６のインターロッキング特徴部は、第３のポイントにおいてキャップをチャネルに結合するように構成され、第１および第２のポイントは、埋め込み型誘電体コンパートメントの第１の面上に位置し、第３のポイントは、埋め込み型誘電体コンパートメントの第２の面上に位置し、第２の面は前記第１の面と異なる。
【００１６】
例１０では、例９の第１、第３、および第５のインターロッキング特徴部は、任意選択で、メスコネクタを含み、例９の第２、第４、および第６のインターロッキング特徴部は、任意選択で、オスコネクタを含む。
【００１７】
例１１では、例１〜１０の任意の１つまたは複数の埋め込み型誘電体コンパートメントは、任意選択で、第１のレセプタクルおよび第２のレセプタクルを含み、第１のレセプタクルは、第１のリード線を受取るように構成され、第２のレセプタクルは、第２のリード線を受取るように構成され、第１のレセプタクルは、第２のレセプタクルより埋め込み型医療デバイスハウジングと近接し、例１〜１０の任意の１つまたは複数のチャネルは、任意選択で、実質的に第１のレセプタクルと第２のレセプタクルとの間で埋め込み型誘電体コンパートメントの外側表面内に位置する。
【００１８】
例１２では、例１１の埋め込み型誘電体コンパートメントは、任意選択で、第３のレセプタクルを含み、第３のレセプタクルは、第３のリード線を受取るように構成され、第２のレセプタクルは、第３のレセプタクルより埋め込み型医療デバイスハウジングと近接する。
【００１９】
例１３では、システムは、埋め込み型デバイスハウジングに結合した埋め込み型誘電体コンパートメントを備え、埋め込み型誘電体コンパートメントは、埋め込み型誘電体コンパートメントの外側表面内のテーパ付きチャネルであって、埋め込み型アンテナの部分を、埋め込み型アンテナの部分の長さに沿って特定の形状で制限するように形成される、テーパ付きチャネルと、テーパ付きチャネルに結合したキャップであって、テーパ付きチャネルに沿って埋め込み型アンテナの部分を覆い、テーパ付きチャネルの内部に沿って特定の形状で埋め込み型アンテナの部分を収容するように構成される、キャップとを含み、埋め込み型アンテナは、埋め込み型アンテナの部分を覆うポリマーを有するワイヤアンテナを含み、テーパ付きチャネルは、埋め込み型アンテナを覆うポリマーの断面積より小さい断面積を有する狭い部分を含み、狭い部分は、ポリマーとの締りばめを提供し、狭い部分は、テーパ付きチャネル内に埋め込み型アンテナを配置するように構成され、埋め込み型アンテナは、埋め込み型アンテナの特定の形状に基づいて決定される特定の動作周波数を使用して電磁的に情報を無線で送信するように構成され、埋め込み型誘電体コンパートメントは、第１のインターロッキング特徴部を含み、キャップは、第２のインターロッキング特徴部を含み、第１および第２のインターロッキング特徴部は、埋め込み型アンテナの上の第１のポイントにおいてキャップをテーパ付きチャネルに結合するように構成され、埋め込み型誘電体コンパートメントは、第３のインターロッキング特徴部を含み、キャップは、第４のインターロッキング特徴部を含み、第３および第４のインターロッキング特徴部は、第２のポイントにおいてキャップをテーパ付きチャネルに結合するように構成され、第３および第４のインターロッキング特徴部は、第１および第２のインターロッキング特徴部から離れ、埋め込み型アンテナの遠位端は、第１、第２、第３、および第４のインターロッキング特徴部がテーパ付きチャネル内で埋め込み型アンテナの遠位端を固定するよう構成されるように、第１のポイントと第２のポイントとの間に実質的に位置するように構成される。
【００２０】
例１４では、例１３の埋め込み型誘電体コンパートメントは、任意選択で、第５のインターロッキング特徴部を含み、例１３のキャップは、任意選択で、第６のインターロッキング特徴部を含み、第５および第６のインターロッキング特徴部は、第１、第２、第３、および第４のインターロッキング特徴部から離れ、第５および第６のインターロッキング特徴部は、第３のポイントにおいてキャップをテーパ付きチャネルに結合するように構成され、第１および第２のポイントは、埋め込み型誘電体コンパートメントの第１の面上に位置し、第３のポイントは、埋め込み型誘電体コンパートメントの第２の面上に位置し、第２の面は第１の面と異なる。
【００２１】
例１５では、方法は、埋め込み型誘電体コンパートメントの外側表面内にテーパ付きチャネルを設けることであって、テーパ付きチャネルは、埋め込み型アンテナの部分を、埋め込み型アンテナの部分の長さに沿って特定の形状で制限するように形成されること、および、埋め込み型アンテナを使用して、特定の動作周波数で電磁的に情報を無線で送信することを含み、特定の周波数は、埋め込み型アンテナの部分の特定の形状に基づいて決定される。
【００２２】
例１６では、例１５の電磁的に情報を無線で送信することは、任意選択で、埋め込み型アンテナを使用して生物学的媒体内から、特定の動作周波数で電磁的に情報を無線で送信することを含み、特定の動作周波数は、生物学的媒体内の埋め込み型アンテナの部分の特定の形状に基づいて決定される。
【００２３】
例１７では、例１５〜１６の任意の１つまたは複数の方法は、任意選択で、埋め込み型アンテナの断面積より小さい断面積を有する狭い部分を、テーパ付きチャネル内に設けることを含み、狭い部分は、埋め込み型アンテナをテーパ付きチャネル内部に配置するように構成される。
【００２４】
例１８では、例１５〜１７の任意の１つまたは複数の方法は、任意選択で、埋め込み型アンテナの部分を覆うポリマーとテーパ付きチャネルの狭い部分との間に締りばめを提供することを含み、テーパ付きチャネルは、埋め込み型アンテナのために特定の形状を提供するようにサイズ決定され形作られる。
【００２５】
例１９では、例１５〜１８の任意の１つまたは複数の方法は、任意選択で、テーパ付きチャネル内で埋め込み型アンテナの部分を覆い、テーパ付きチャネル内部で特定の形状で埋め込み型アンテナを配置するように構成されたキャップを設けることを含み、キャップは、埋め込み型誘電体コンパートメントの第１のインターロッキング特徴部およびキャップの第２のインターロッキング特徴部を使用してテーパ付きチャネルに結合する。
【００２６】
例２０では、例１９のキャップは、任意選択で、第１および第２のインターロッキング特徴部を使用して埋め込み型アンテナの上の第１のポイントで、第３および第４のインターロッキング特徴部を使用して第２のポイントでテーパ付きチャネルに結合し、例１９の埋め込み型アンテナは、人選選択で、ワイヤアンテナを含み、ワイヤアンテナの遠位端は、第１のポイントと第２のポイントとの間に実質的に位置するように構成される。
【００２７】
この概要は、本特許出願の主題の概要を提供することを意図される。本発明の排他的なまたは網羅的な説明を提供することは意図されない、詳細な説明は、本特許出願に関するさらなる情報を提供するために含まれる。
【００２８】
必ずしも一定比例尺に従って描かれていない図面では、同じ数字は、異なる図において類似のコンポーネントを述べる可能性がある。異なる添え字を有する同じ数字は、類似のコンポーネントの異なる例を示す可能性がある。図面は、一般に、本文書で論じる種々の実施形態を、制限としてではなく例として示す。
【図面の簡単な説明】
【００２９】
【図１】埋め込み型テレメトリ回路に結合した埋め込み型アンテナを含むシステムの実施例を一般的に示す図である。
【図２Ａ】埋め込み型誘電体コンパートメントの外側表面内にチャネルを含む埋め込み型誘電体コンパートメントの実施例を一般的に示す異なる図の一方図である。
【図２Ｂ】埋め込み型誘電体コンパートメントの外側表面内にチャネルを含む埋め込み型誘電体コンパートメントの実施例を一般的に示す異なる図の他方の図である。
【図３Ａ】埋め込み型誘電体コンパートメントのチャネルに結合するように構成されたキャップの実施例を一般的に示す異なる図のうちの１つの図である。
【図３Ｂ】埋め込み型誘電体コンパートメントのチャネルに結合するように構成されたキャップの実施例を一般的に示す異なる図のうちの１つの図である。
【図３Ｃ】埋め込み型誘電体コンパートメントのチャネルに結合するように構成されたキャップの実施例を一般的に示す異なる図のうちの１つの図である。
【図３Ｄ】埋め込み型誘電体コンパートメントのチャネルに結合するように構成されたキャップの実施例を一般的に示す異なる図のうちの１つの図である。
【図３Ｅ】埋め込み型誘電体コンパートメントのチャネルに結合するように構成されたキャップの実施例を一般的に示す異なる図のうちの１つの図である。
【図３Ｆ】埋め込み型誘電体コンパートメントのチャネルに結合するように構成されたキャップの実施例を一般的に示す異なる図のうちの１つの図である。
【図４Ａ】埋め込み型誘電体コンパートメントの外側表面内にチャネルを含む埋め込み型誘電体コンパートメントの実施例を一般的に示す図である。
【図４Ｂ】埋め込み型誘電体コンパートメントの外側表面内にチャネルを含む埋め込み型誘電体コンパートメントの実施例を一般的に示す図である。
【図５】埋め込み型誘電体コンパートメントの外側表面内にチャネルを有する埋め込み型誘電体コンパートメントの実施例を一般的に示す図であり、チャネルは埋め込み型アンテナの部分を制限するように構成され、埋め込み型アナテナは埋め込み型アンテナの部分を覆うポリマーを含む。
【発明を実施するための形態】
【００３０】
ある実施例では、埋め込み型アンテナ（ポリウレタンチューブあるいは１つまたは複数の他の誘電体内で覆われたワイヤアンテナ）は、埋め込み型医療デバイス（たとえば、ペースメーカ、除細動器など）の埋め込み型誘電体コンパートメント（たとえば、ヘッダ）内のチャネル内に位置しうる。埋め込み型アンテナは、特定の動作周波数で電磁的に情報を無線で送信するように構成されうる。ある実施例では、特定の動作周波数は、埋め込み型アンテナの１つまたは複数の特性（たとえば、埋め込み型アンテナの長さ、埋め込み型アンテナの形状、埋め込み型医療デバイス内の１つまたは複数の導体に対する埋め込み型アンテナの近接性など）に基づいて決定される。
【００３１】
いくつかの実施例では、埋め込み型誘電体コンパートメントの外周または外側表面の周りに埋め込み型アンテナを配置することは、埋め込み型アンテナの無線周波数効率を増加しうる、すなわち、埋め込み型誘電体コンパートメント内の金属物体（たとえば、１つまたは複数のレセプタクル、リード線、コネクタブロック、ｘ線識別タグ、アンカーポストなど）による損失を減少させうる。いくつかの実施例では、チャネルは、埋め込み型アンテナの部分を特定の形状で制限するように形成されうる。ある実施例では、埋め込み型アンテナの長さ、埋め込み型アンテナの特定の形状（たとえば、形状、経路など）、あるいは、埋め込み型アンテナと埋め込み型誘電体コンパートメント内の１つまたは複数の他の導電性コンポーネントとの間の距離のうちの少なくとも１つは、特定の動作周波数で無線通信を提供するために、または、特定の動作周波数で埋め込み型アンテナの有効性を増加させるために制御されうる。
【００３２】
ある実施例では、埋め込み型アンテナが、チャネル内で医療用接着剤または他の充填材を用いて覆われるだけである場合、複数のデバイスにわたる無線周波数通信の信頼性または再現性（たとえば、レンジ、効率など）は、医療用接着剤または他の充填材の厚さの変動によって低下しうる（医療用接着剤の厚さは、異なるオペレータ、機械、プロセスなどの間で変動しうる）。ある実施例では、埋め込み型アンテナ上での１０００分の３０インチの所望の材料厚の場合、手で塗布される医療用接着剤は、＋１０００分の３０インチから−１０００分の１０インチ以上だけ変動しうる。他の実施例では、機械またはプロセス（たとえば、ロボット工学）は、手で塗布される変動の１０％（たとえば、±１０００分の３インチ）まで変動を低減しうる。いくつかの実施例では、キャップ（たとえば、射出成形された熱可塑性または他の誘電性材料キャップ）はさらに、医療用接着剤または他の充填材の変動を（たとえば、±１０００分の２インチ以下まで）軽減し、埋め込み型アンテナと身体との間のより精密な距離を確立しうる。さらに、いくつかの実施例では、キャップは、（たとえば、埋め込み型誘電体コンパートメント、チャネル、またはキャップの１つまたは複数の特徴部を使用して）埋め込み型アンテナについて再現性のある特定の形状を確立するために使用されうる。
【００３３】
他の実施例では、複数のデバイスにわたる無線周波数通信の信頼性または再現性は、埋め込み型アンテナ配置または形状の変化によって低下しうる。ある実施例では、チャネルは、埋め込み型アンテナを特定の形状で制限するようにサイズ決定され形作られうる。いくつかの実施例では、特定の形状は、埋め込み型アンテナの共振周波数または効率的な動作点に影響を及ぼしうる。ある実施例では、特定の形状を提供することによって、埋め込み型アンテナは、埋め込み型誘電体コンパートメント内の１つまたは複数の他の導体からの特定の距離を維持しうる。
【００３４】
ある実施例では、身体（たとえば、流体、組織、あるいは１つまたは複数の他の生物学的媒体）に対する埋め込み型アンテナの相互作用は、チャネルの指定された深さおよびキャップの指定された厚さを使用して維持されうる。ある実施例では、埋め込み型アンテナと生物学的媒体との間の間隔は、埋め込み型アンテナのインピーダンスに影響を及ぼしうる。インピーダンスの制御を改善することによって、埋め込み型アンテナのレンジまたは効率は、改善されうる、あるいは、複数のデバイスにわたる再現性が高くなりうる。
【００３５】
他の実施例では、チャネルは、テーパ付きチャネルを含むことができ、テーパ付きチャネルは、テーパ付きチャネルの底部または中心において埋め込み型アンテナを特定の形状で制限するように形状される。いくつかの実施例では、埋め込み型アンテナの特定の形状を提供することによって、１つまたは複数の基本または共振動作周波数は、（たとえば、複数のデバイスなどにわたって）より容易に繰返されうる、または、得られうる。
【００３６】
いくつかの実施例では、埋め込み型アンテナは、ポリマーまたは他の誘電性材料によって覆われ（たとえば、外的衝撃から埋め込み型アンテナを分離するために、ポリウレタンチューブ内に挿入され）、その後、埋め込み型誘電体コンパートメント内のチャネル内に挿入されうる。ある実施例では、医療用接着剤は、埋め込み型アンテナをチャネル内に挿入する前かまたは後に、チャネルに塗布されうる。ある実施例では、キャップは、医療用接着剤あるいは１つまたは複数のインターロッキング特徴部を使用してチャネルに結合されうる。
【００３７】
いくつかの実施例では、同一のまたは実質的に同一のチャネル、キャップ、あるいは埋め込み型アンテナは、特定の同じ動作周波数で通信する異なる埋め込み型医療デバイス（たとえば、異なる数のレセプタクルを有するデバイスのファミリなど）間で使用されうる。
【００３８】
ある実施例では、第１の埋め込み型医療デバイスは、単一セットのレセプタクルを含むことができ、第１の埋め込み型医療デバイス用の単一セットのレセプタクルは、第１の数のレセプタクル（たとえば、第１のレセプタクルおよび第２のレセプタクル）からなり、第２の埋め込み型医療デバイスは、単一セットのレセプタクルを含むことができ、第２の埋め込み型医療デバイス用の単一セットのレセプタクルは、第２の数のレセプタクル（たとえば、第１のレセプタクル、第２のレセプタクル、および第３のレセプタクル）からなる。この実施例では、同一のまたは実質的に同一のチャネル、キャップ、あるいは埋め込み型アンテナは、第１および第２の埋め込み型医療デバイスのそれぞれのために使用されうる。
【００３９】
ある実施例では、２レセプタクル埋め込み型医療デバイスでは、チャネルは、実質的に第１のレセプタクルと第２のレセプタクルとの間で埋め込み型誘電体コンパートメントの外側表面上に位置しうる。いくつかの実施例では、３レセプタクル埋め込み型医療デバイスは、たとえば、埋め込み型誘電体コンパートメントの幅を変更することなく、または、第１の埋め込み型医療デバイスに対する第１および第２のレセプタクルの向きを変更することなく、２レセプタクル埋め込み型医療デバイスの第１および第２のレセプタクルの上に付加された第３のレセプタクル（あるいは１つまたは複数の他のレセプタクル）を含みうる。これらの実施例では、同一のまたは実質的に同一のチャネル、キャップ、あるいは埋め込み型アンテナは、異なるデバイス間で、特定の動作周波数で電磁的に情報を無線で送信するために使用されることができ、製造および設計コストが節約され、異なるデバイス間の通信の信頼性が付加される。
【００４０】
図１は、埋め込み型医療デバイスハウジング１０１に結合した埋め込み型誘電体コンパートメント１０５および埋め込み型誘電体コンパートメント１０５の外側表面内のチャネルに結合したキャップ１１０を含むシステム１００の実施例を一般的に示す。
【００４１】
図１の実施例では、埋め込み型誘電体コンパートメント１０５は、それぞれの第１および第２のリード線を受取るように構成された第１および第２のレセプタクルを含む。埋め込み型誘電体コンパートメント１０５は、第１のレセプタクル内に第１のリード線を固定するように構成された第１の締結具１１５（たとえば、止めねじなど）、および、第２のレセプタクル内に第２のリード線を固定するように構成された第２の締結具１１６を含む。ある実施例では、第１のレセプタクル、第２のレセプタクル、あるいは、１つまたは複数の他のレセプタクルは、埋め込み型医療デバイスハウジング１０１内の電気部品と、１つまたは複数のリード線上の電気接点との間の電気接触を提供するように構成された１つまたは複数のコネクタブロックを含みうる。他の実施例では、埋め込み型誘電体コンパートメント１０５は、異なる数のレセプタクル（たとえば、単一レセプタクル、３つのレセプタクルなど）を含みうる。
【００４２】
図１の実施例では、第１のレセプタクルは、第２のレセプタクルより埋め込み型医療デバイスハウジング１０１の近くに位置する。ある実施例では、チャネルおよびキャップ１１０は、第１のレセプタクと第２のレセプタクルとの間に実質的に位置しうるため、チャネル内の埋め込み型アンテナは、１つまたは複数の他の導電性構造（たとえば、埋め込み型医療デバイスハウジング１０１、第１の締結具１１５、第２の締結具１１６、１つまたは複数のコネクタブロック、１つまたは複数のリード線など）による干渉を低減するためなどで、システム１００の１つまたは複数の他の導電性構造から一定の距離（たとえば、１０００分の５０インチなど）に位置するように構成されうる。
【００４３】
他の実施例では、埋め込み型誘電体コンパートメント１０５は、１つまたは複数の他のリード線を受取るように構成された１つまたは複数の他のレセプタクルを含みうる。たとえば、埋め込み型誘電体コンパートメント１０５は、第３のリード線を受取るように構成された第３のレセプタクル、および、第３のレセプタクル内で第３のリード線を固定するように構成された第３の締結具を含みうる。ある実施例では、第２のレセプタクルは、第３のレセプタクルより埋め込み型医療デバイスハウジング１０１の近くに位置しうる。これらの実施例では、キャップ１１０は、図１の実施例に示すキャップと同一かまたは実質的に同一の位置に位置しうる。さらにこれらの実施例では、キャップ１１０、チャネル、または埋め込み型アンテナは、図１の実施例に示すものと（たとえば、形状、位置、構成などが）同一かまたは実質的に同一でありうる。
【００４４】
図２Ａおよび２Ｂは、埋め込み型誘電体コンパートメント１０５の外側表面内にチャネル１１０を含む埋め込み型誘電体コンパートメント１０５の実施例の異なる図を一般的に示す。図２Ａは、埋め込み型誘電体コンパートメント１０５の第１の面を一般的に示し、図２Ｂは、埋め込み型誘電体コンパートメント１０５の第２の面を一般的に示す。ある実施例では、チャネル１１５の近位端は、埋め込み型医療デバイスハウジング内で埋め込み型誘電体コンパートメント１０５から電子回路要素（たとえば、テレメトリ回路、プロセッサなど）へのアクセスを提供するように形成されたフィードスルーにまたはフィードスルーの近くに（図２Ａに示すように）位置しうる。チャネル１１５は、埋め込み型医療デバイスハウジングから離れ、埋め込み型誘電体コンパートメント１０５の外周を周り、（図２Ｂに示すように）埋め込み型誘電体コンパートメント１０５の第２の面まで進みうる。いくつかの実施例では、チャネル１１５は、埋め込み型誘電体コンパートメント１０５の製造プロセス中に（たとえば、埋め込み型誘電体コンパートメント１０５の射出成形中に）形成されうる。
【００４５】
図２Ｂの実施例では、チャネル１１５は、実質的に第１の締結具１１５と第２の締結具１１６との間に位置する。ある実施例では、チャネル１１５の経路は、チャネル内に配置されるかまたは位置するように形成された埋め込み型アンテナと、１つまたは複数の他の導体（たとえば、締結具、コネクタブロック、埋め込み型医療デバイスハウジングなど）との間の距離を最大にする、または、最小間隔を提供するように形成されうる。
【００４６】
ある実施例では、埋め込み型誘電体コンパートメント１０５は、埋め込み型医療デバイスハウジング内の電子回路要素と、第１のリード線上の電気接点との間の電気接触を提供するように構成された第１のコネクタブロック１２０および第２のコネクタブロック１２１を含みうる。さらに、埋め込み型誘電体コンパートメント１０５は、埋め込み型医療デバイスハウジング内の電子回路要素と、第２のリード線上の電気接点との間の電気接触を提供するように構成された第３のコネクタブロック１２２および第４のコネクタブロック１２３を含みうる。ある実施例では、第１のコネクタブロック１２０および第２のコネクタブロック１２１は、埋め込み型誘電体コンパートメント１０５の第１のレセプタクル内に位置する第１のリード線に結合することができ、第３のコネクタブロック１２２および第４のコネクタブロック１２３は、埋め込み型誘電体コンパートメント１０５の第２のレセプタクル内に位置する第２のリード線に結合することができる。他の実施例では、埋め込み型誘電体コンパートメント１０５は、１つまたは複数の他のコネクタブロックあるいは異なる数のコネクタブロックを含みうる。
【００４７】
いくつかの実施例では、埋め込み型誘電体コンパートメント１０５は、キャップをチャネル１１５に結合するために、キャップの１つまたは複数の特徴部と相互作用するように構成された１つまたは複数のインターロッキング特徴部を含みうる。ある実施例では、埋め込み型誘電体コンパートメント１０５の１つまたは複数のインターロッキング特徴部は、チャネル１１５上にまたはチャネル１１５に近接して位置しうる。図２Ａおよび２Ｂの実施例では、１つまたは複数のインターロッキング特徴部は、埋め込み型誘電体コンパートメント１０５の第１の面上の第１のインターロッキング特徴部１２５ならびに埋め込み型誘電体コンパートメント１０５の第２の面上の第２のインターロッキング特徴部１２６および第３のインターロッキング特徴部１２７を含む。他の実施例では、１つまたは複数の他のインターロッキング特徴部あるいは異なる数のインターロッキング特徴部が使用されうる。
【００４８】
図３Ａ〜３Ｆは、埋め込み型誘電体コンパートメントのチャネルに結合されるように形成されたキャップ１１０の実施例の異なる図を一般的に示す。いくつかの実施例では、キャップ１１０は、射出成形されたキャップを含みうる。ある実施例では、キャップ１１０は、チャネルに沿って埋め込み型アンテナの部分を覆うように形成されうる。ある実施例では、キャップ１１０は、キャップ１１０をチャネルに結合するために、チャネルの１つまたは複数の特徴部と相互作用するように構成された１つまたは複数のインターロッキング特徴部を含みうる。図３Ａ〜３Ｆの実施例では、１つまたは複数のインターロッキング特徴部は、キャップ１１０の第１の面上に第１のインターロッキング特徴部１３０を、また、キャップ１１０の第２の面上に第２のインターロッキング特徴部１３１および第３のインターロッキング特徴部１３２を含む。ある実施例では、キャップ１１０のインターロッキング特徴部１３０は、埋め込み型誘電体コンパートメントの第１のインターロッキング特徴部（たとえば、図２Ａの埋め込み型誘電体コンパートメントの第１のインターロッキング特徴部１２５）とインターロックするように構成されうる。
【００４９】
ある実施例では、キャップ１１０のインターロッキング特徴部１３０は、埋め込み型誘電体コンパートメント上のメスコネクタと相互作用するように構成されたオスコネクタを含みうる。他の実施例では、キャップ１１０のインターロッキング特徴部１３０は、埋め込み型誘電体コンパートメントまたはチャネル上の対応する（たとえば、ネジおよびネジを切った部分など）と相互作用するように構成されたメスコネクタあるいは１つまたは複数の他のコネクタを含みうる。
【００５０】
図４Ａおよび４Ｂは、埋め込み型誘電体コンパートメント１０５の外側表面内にチャネル１１５を含む埋め込み型誘電体コンパートメント１０５の実施例を一般的に示す。図４Ａの実施例では、埋め込み型誘電体コンパートメント１０５は、それぞれの第１、第２、および第３のリード線を受取るように構成された第１、第２、および第３のレセプタクルを含む。ある実施例では、埋め込み型誘電体コンパートメント１０５は、第１のリード線を第１のレセプタクル内に固定するように構成された第１の締結具１１５、第２のリード線を第２のレセプタクル内に固定するように構成された第２の締結具１１６、および第３のリード線を第３のレセプタクル内に固定するように構成された第３の締結具１１７を含みうる。いくつかの実施例では、埋め込み型誘電体コンパートメント１０５は、キャップをチャネル１１５に結合し、埋め込み型アンテナを、チャネル１１５内で特定の構成で収容するために、キャップの１つまたは複数の特徴部とインタフェースするように構成された１つまたは複数のインターロッキング特徴部（たとえば、第２のインターロッキング特徴部１２６および第３のインターロッキング特徴部１２７）を含みうる。
【００５１】
ある実施例では、チャネル１１５は、チャネル１１５内に設置されたワイヤアンテナを制限するように形成されうる。いくつかの実施例では、ワイヤアンテナの遠位端は、ワイヤアンテナの設置中にチャネル１１５から突出する傾向がありうる。いくつかの実施例では、第２のインターロッキング特徴部１２６および第３のインターロッキング特徴部１２７は、ワイヤアンテナの遠位端の両側に位置することができ、ワイヤアンテナの遠位端をチャネル１１５内で所定場所に固定するように構成されうる。
【００５２】
ある実施例では、チャネル１１５は、埋め込み型アンテナをチャネル１１５の内部に配置するように形成された１つまたは複数の狭い部分（たとえば、ピンチポイントなど）を含みうる。図４Ａの実施例では、チャネル１１５は、第１の狭い部分１３５、第２の狭い部分１３６、および第３の狭い部分１３７を含む。ある実施例では、１つまたは複数の狭い部分は、埋め込み型アンテナの断面より小さい断面を有しうる。いくつかの実施例では、ワイヤアンテナを使用して、第３の狭い部分１３７は、ワイヤアンテナの遠位端をチャネル１１５内に固定するように形成されうる。
【００５３】
図４Ｂは、チャネル１１５内の第１の狭い部分１３５およびチャネル１１５内の第２の狭い部分１３６の側面図を一般的に示す。ある実施例では、１つまたは複数の狭い部分は、埋め込み型アンテナとの締りばめを提供するように形成されうる。
【００５４】
ある実施例では、埋め込み型アンテナは、チャネル１１５内に位置するように構成された埋め込み型アンテナの部分を覆うポリマーまたは他の誘電性材料を含みうる。いくつかの実施例では、ポリマーは、ポリウレタンチューブあるいは１つまたは複数の他のポリマーまたは誘電体を含みうる。ある実施例では、狭い部分は、埋め込み型アンテナ（たとえば、ワイヤアンテナ）との締りばめを提供する代わりに、または、提供すると共に、埋め込み型アンテナを覆うポリマーとの締りばめを提供するように構成されうる。
【００５５】
いくつかの実施例では、チャネル１１５は、埋め込み型アンテナについて特定の形状を提供するようにサイズ決定され形作られうる。ある実施例では、１つまたは複数の狭い部分は、チャネル１１５内で埋め込み型アンテナの特定の形状を維持するように形成されうる。
【００５６】
図５は、埋め込み型誘電体コンパートメント１０５の外側表面内にチャネル１１５を有する埋め込み型誘電体コンパートメント１０５の実施例を一般的に示し、チャネル１１５は、埋め込み型アンテナ１４０の部分を、埋め込み型アンテナの部分の長さに沿った特定の形状で制限するように形成される。埋め込み型アンテナ１４０は、埋め込み型アンテナ１４０の部分を覆うポリマー１４１を含むことができ、キャップ１１０は、埋め込み型アンテナ１４０をチャネル１１５内に収容するように形成されうる。ある実施例では、チャネル１１５は、埋め込み型アンテナ１４０のために特定の形状（たとえば、アンテナ形状およびルート）を提供するようにサイズ決定され形作られた、テーパ付きチャネルを含みうる。いくつかの実施例では、テーパ付きチャネルの面は、図５の実施例において断面図で示すような、埋め込み型アンテナの部分の長さ（チャネル１１５内の埋め込み型アンテナ１４０の部分の全長）を制限するように形成されうる。ある実施例では、チャネル１１５のベースの形状または径は、埋め込み型アンテナ１４０または埋め込み型アンテナ１４０の部分を覆うポリマー１４１の形状または径の一方と同じでありうる、または、ほぼ同じでありうる（たとえば、いくつかの実施例では、わずかに大きいかまたは小さい）。ある実施例では、チャネル１１５のベースの形状または径は、埋め込み型アンテナ１４０の部分について特定の形状を制限するかまたは提供するように形成されうる。
【００５７】
いくつかの実施例では、医療用接着剤１４５あるいは１つまたは複数の他の充填材は、埋め込み型アンテナ１４０（埋め込み型アンテナ１４０を覆うポリマー１４１を含む）がチャネル１１５内に設置される前かまたは後に、チャネル１１５内に設置されうる。図５の実施例では、キャップ１１０は、チャネル１１５内に設置されることができ、キャップ１１０は、チャネル１１５に沿って埋め込み型アンテナ１４０の部分を覆い、埋め込み型アンテナ１４０の部分を、チャネル１１５内で（たとえば、テーパ付きチャネルの内部に沿って）特定の形状で配置するように構成される。ある実施形態では、医療用接着剤１４５は、埋め込み型アンテナ１４０をチャネル１１５内で所定場所に保持するように、１つまたは複数の生物学的媒体（たとえば、組織、血液など）からチャネル１１５をシールするように、または、キャップ１１０を埋め込み型アンテナ１４０の上で所定場所に保持するように構成されうる。ある実施例では、埋め込み型誘電体コンパートメント１０５およびキャップ１１０の１つまたは複数のインターロッキング特徴部は、キャップ１１０をチャネル１１５内の所定場所に保持するように構成されうる。
【００５８】
ある実施例では、埋め込み型アンテナ１４０は、チャネル１１５の内側縁に対して制限するように構成されうる。ある実施例では、埋め込み型アンテナ１４０は、円形断面（たとえば、１０００分の１５インチ）を有するワイヤアンテナを含み、ポリウレタンチューブ（たとえば、１０００分の２０インチ）内に収容されうる。埋め込み型アンテナ１４０およびポリウレタンチューブは、チャネル１１５（たとえば、テーパ付きチャネル）の内側縁にしっかり嵌合するように構成されうる。
【００５９】
ある実施例では、医療用接着剤１４５およびキャップ１１０は、埋め込み型アンテナ１４０を、チャネル１１５の内部で特定の制限で固定するように構成されうる。いくつかの実施例では、医療用接着剤１４５は、キャップ１１０とチャネル１１５との間の接続をシールするだけのために構成され、チャネル１１５の形状およびチャネル１１５の１つまたは複数の特徴部（たとえば、１つまたは複数の狭い部分）は、埋め込み型アンテナ１１５の特定の制限を提供するように構成されうる。いくつかの実施例では、キャップ１１０の外側表面は、埋め込み型誘電体コンパートメントの外側表面の下に存在するように形成されうる（たとえば、１０００分の５インチ）。ある実施例では、キャップ１１０は、チャネル１１５に近接するキャップ１１０の表面間に空間（たとえば、１０００分の２インチ）を有するチャネル１１５内に嵌合するように形成され、空間は、チャネル１１５内で埋め込み型アンテナ１４０をシールするために医療用接着剤１４５で充填されるように形成されうる。
【００６０】
いくつかの実施例では、キャップ１１０は、（たとえば、キャップ１１０を使用する代わりに、チャネル１１５に対して医療用接着剤あるいは１つまたは複数の他の充填材を提供することと対照的に）埋め込み型誘電体コンパートメント１０５のコストを増加させうる。したがって、ある実施例では、埋め込み型アンテナ１４０は、キャップ１１０を使用することなく、チャネル１１５内に制限されうる。代わりに、機械またはプロセス（たとえば、ロボット工学）は、埋め込み型アンテナ１４０の上でチャネル１１５に対して医療用接着剤１４５または他の充填材の均一なまたは実質的に均一な層を提供するように構成されうる。これらの実施例では、埋め込み型誘電体コンパートメント１０５の１つまたは複数のインターロッキング特徴部は除外されうる。代わりに、チャネル１１５内の１つまたは複数の狭い部分（たとえば、ピンチアウトなど）は、埋め込み型アンテナ１４０をチャネル１１５内に配置するかまたは保持するように形成されうる。
【００６１】
さらに、他の実施例では、埋め込み型誘電体コンパートメント１０５、埋め込み型アンテナ１４０、チャネル１１５、キャップ１１０、あるいは、本明細書で開示される１つまたは複数の他のコンポーネントは、制御可能な入力インピーダンスを有する埋め込み型アンテナまたは埋め込み型組立体ハウジングに結合したカバーの開示を含む、参照によりその全体が組み込まれる、「インピーダンス制御埋め込み型遠隔アンテナ（ＩＭＰＥＤＡＮＣＥ−ＣＯＮＴＲＯＬＬＥＤ  ＩＭＰＬＡＮＴＡＢＬＥ  ＴＥＬＥＭＥＴＲＹ  ＡＮＴＥＮＮＡ）」という名称の、同一譲受人に譲渡されたＮｇｈｉｅｍ他の米国特許出願シリアル番号第６１／１０６，０６８号に開示されるような、１つまたは複数の他の特徴、機能、または構成を含みうる。
【００６２】
追加事項
上記詳細な説明は、詳細な説明の一部を形成する添付図面に対する参照を含む。図面は、例証として、本発明が実施されうる特定の実施形態を示す。これらの実施形態はまた、本明細書で「実施例(example)」とも呼ばれる。こうした実施例は、示し述べた要素以外の要素を含みうる。しかし、本発明者はまた、示し述べる要素だけがそこで提供される実施例も想定する。
【００６３】
本文書で参照される全ての出版物、特許、および特許文書は、参照により個々に組込まれるかのように、参照によりその全体が本明細書に組込まれる。本文書と、参照により組込まれる文書との間に矛盾する使用法がある場合、組込まれる参照（複数可）における使用法は、本文書の使用法を補助するものと考えられるべきである。すなわち、両立しない矛盾については、本文書における使用法が規制する。
【００６４】
本文書において、用語「ある(a)」または「ある(an)」は、特許文書で一般的であるように、「少なくとも１つ(at least one)」または「１つまたは複数(one or more)」の任意の他の例(instance)または使用と独立に、１つまたは２つ以上を含むために使用される。本文書では、用語「または(or)」は、非排他的なまたは(or)を指すのに使用される。したがって、特に指示されない限り、「ＡまたはＢ」は「ＡであるがＢではない」、「ＢであるがＡではない」および「ＡおよびＢ」を含む。添付特許請求項では、用語「含む(including)」および「そこで(in which)」は、それぞれの用語「備える(comprising)」および「そこで(wherein)」の平易な英語の等価物として使用される。同様に、添付特許請求項では、用語「含む(including)」および「備える(comprising)」は、無制限(pen-ended)である、すなわち、特許請求項においてこうした用語の後に挙げられる要素以外の要素を含むシステム、デバイス、製品またはプロセスは、依然として特許請求項の範囲内に入ると考えられる。さらに、添付特許請求項では、用語「第１の(first)」、「第２の(second)」および「第３の(third)」などは、単にラベルとして使用され、その物体に対して数値要件を課すことを意図されない。
【００６５】
先の説明は、例証的であり、制限的でないことを意図される。たとえば、上述した実施例（またはその１つまたは複数の態様）は、互いに組合せて使用されてもよい。先の説明を検討することによって、他の実施形態が当業者などによって使用されうる。要約は、読者が技術的開示の特質を迅速に確認することを可能にするために、３７Ｃ．Ｆ．Ｒ．§１．７２（ｂ）に対応するように提供される。要約は、特許請求項の範囲または意味を解釈するかまたは制限するために使用されることがないという理解によって提出される。同様に、上記詳細な説明では、種々の特徴は、開示を簡素化するために共にグループ化されてもよい。このことは、未請求の開示特徴が、任意の特許請求項に必須であることを意図するものとして解釈されるべきでない。むしろ、本発明の主題は、特定の開示される実施形態の全ての特徴より少ない特徴に存在する可能性がある。そのため、添付特許請求項は、詳細な説明に組込まれ、各請求項は、別個の実施形態として自分自身を主張する。本発明の範囲は、添付特許請求の範囲を参照して、添付特許請求の範囲が権利を与えられる等価物の全範囲と共に確定されるべきである。
以下に、上記各実施形態から把握できる技術思想を記載する。
（付記１）
システムであって、
埋め込み型デバイスハウジングに結合された埋め込み型誘電体コンパートメントであって、埋め込み型誘電体コンパートメントの外側表面内にチャネルを含む、前記埋め込み型誘電体コンパートメントを備え、
前記チャネルは、埋め込み型アンテナの部分を、前記埋め込み型アンテナの前記部分の長さに沿った特定の形状で制限するように形成され、
前記埋め込み型アンテナは、特定の動作周波数で電磁的に情報を無線で送信するように構成され、前記特定の動作周波数は、前記埋め込み型アンテナの前記部分の特定の形状に基づいて決定される、システム。
（付記２）
前記チャネルは、前記埋め込み型アンテナの断面積より小さい断面積を有する狭い部分を含み、前記狭い部分は、前記埋め込み型アンテナを前記チャネル内部に配置するように形成される、付記１に記載のシステム。
（付記３）
前記埋め込み型アンテナは、前記埋め込み型アンテナの前記部分を覆うポリマーを含み、前記ポリマーは、前記チャネルの前記狭い部分内に締りばめを提供し、前記チャネルは、前記埋め込み型アンテナのために特定の形状を提供するようにサイズ決定され形作られる、付記１又は２に記載のシステム。
（付記４）
前記埋め込み型アンテナは、特定の動作周波数を使用して生物学的媒体内から電磁的に情報を無線で送信するように構成され、前記特定の動作周波数は、前記生物学的媒体内の前記埋め込み型アンテナの前記特定の形状に基づいて決定される、付記１から３のいずれか１項に記載のシステム。
（付記５）
前記埋め込み型誘電体コンパートメントは、前記チャネルに結合したキャップを含み、前記キャップは、前記チャネルに沿って前記埋め込み型アンテナの前記部分を覆うように形成され、
前記埋め込み型誘電体コンパートメントは、第１のインターロッキング特徴部を含み、前記キャップは、第２のインターロッキング特徴部を含み、前記第１および第２のインターロッキング特徴部は、前記キャップを前記チャネルに結合するように構成される、付記１から４のいずれか１項に記載のシステム。
（付記６）
前記チャネルおよび前記キャップは、前記埋め込み型アンテナの前記部分と前記生物学的媒体との間に、指定された距離を確立するように形成され、前記指定された距離は、前記埋め込み型アンテナのインピーダンスを制御するように構成される、付記５に記載のシステム。
（付記７）
前記チャネルは、テーパ付きチャネルを含み、前記キャップは、前記埋め込み型アンテナの前記部分を前記テーパ付きチャネル内部に特定の形状で配置するように形成される、付記５から６のいずれか１項に記載のシステム。
（付記８）
前記埋め込み型アンテナは、前記チャネル内に配置されるように構成されたワイヤアンテナを含み、
前記埋め込み型誘電体コンパートメントは、第３のインターロッキング特徴部を含み、前記キャップは、第４のインターロッキング特徴部を含み、前記第３および第４のインターロッキング特徴部は、前記第１および第２のインターロッキング特徴部と離間し、
前記第１および第２のインターロッキング特徴部は、前記埋め込み型アンテナ上の第１のポイントにおいて前記キャップを前記チャネルに結合するように構成され、前記第２および第３のインターロッキング特徴部は、第２のポイントにおいて前記キャップを前記チャネルに結合するように構成され、前記埋め込み型アンテナの遠位端は、前記第１、第２、第３、および第４のインターロッキング特徴部が前記チャネル内で前記埋め込み型アンテナの遠位端を固定するよう構成されるように、前記第１のポイントと前記第２のポイントとの間に実質的に位置するように構成される、付記５から７のいずれか１項に記載のシステム。
（付記９）
前記埋め込み型誘電体コンパートメントは、第５のインターロッキング特徴部を含み、前記キャップは、第６のインターロッキング特徴部を含み、前記第５および第６のインターロッキング特徴部は、前記第１、第２、第３、および第４のインターロッキング特徴部と離間し、
前記第５および第６のインターロッキング特徴部は、第３のポイントにおいて前記キャップを前記チャネルに結合するように構成され、前記第１および第２のポイントは、前記埋め込み型誘電体コンパートメントの第１の面上に位置し、前記第３のポイントは、前記埋め込み型誘電体コンパートメントの第２の面上に位置し、前記第２の面は前記第１の面と異なる、付記８に記載のシステム。
（付記１０）
前記第１、第３、および第５のインターロッキング特徴部はメスコネクタを含み、前記第２、第４、および第６のインターロッキング特徴部はオスコネクタを含む、付記９に記載のシステム。
（付記１１）
前記埋め込み型誘電体コンパートメントは、第１のレセプタクルおよび第２のレセプタクルを含み、前記第１のレセプタクルは、第１のリード線を受取るように構成され、前記第２のレセプタクルは、第２のリード線を受取るように構成され、前記第１のレセプタクルは、前記第２のレセプタクルより前記埋め込み型医療デバイスハウジングと近接し、
前記チャネルは、実質的に前記第１のレセプタクルと前記第２のレセプタクルとの間で前記埋め込み型誘電体コンパートメントの外側表面内に位置する、付記１から１０のいずれか１項に記載のシステム。
（付記１２）
前記埋め込み型誘電体コンパートメントは、第３のレセプタクルを含み、前記第３のレセプタクルは、第３のリード線を受取るように構成され、前記第２のレセプタクルは、前記第３のレセプタクルより前記埋め込み型医療デバイスハウジングと近接する、付記１１に記載のシステム。
（付記１３）
システムであって、
埋め込み型デバイスハウジングに結合した埋め込み型誘電体コンパートメントを備え、前記埋め込み型誘電体コンパートメントは、
前記埋め込み型誘電体コンパートメントの外側表面内のテーパ付きチャネルであって、前記埋め込み型アンテナの部分を、前記埋め込み型アンテナの前記部分の長さに沿った特定の形状で制限するように形成される、前記テーパ付きチャネルと、
前記テーパ付きチャネルに結合したキャップであって、前記テーパ付きチャネルに沿って前記埋め込み型アンテナの前記部分を覆い、前記テーパ付きチャネルの内部に沿った前記特定の形状で前記埋め込み型アンテナの前記部分を収容するように形成される、前記キャップとを含み、
前記埋め込み型アンテナは、前記埋め込み型アンテナの前記部分を覆うポリマーを有するワイヤアンテナを含み、前記テーパ付きチャネルは、前記埋め込み型アンテナを覆う前記ポリマーの断面積より小さい断面積を有する狭い部分を含み、前記狭い部分は、前記ポリマーとの締りばめを提供し、前記狭い部分は、前記テーパ付きチャネル内に前記埋め込み型アンテナを配置するように形成され、
前記埋め込み型アンテナは、前記埋め込み型アンテナの前記特定の形状に基づいて決定される特定の動作周波数を使用して、電磁的に情報を無線で送信するように構成され、
前記埋め込み型誘電体コンパートメントは、第１のインターロッキング特徴部を含み、前記キャップは、第２のインターロッキング特徴部を含み、前記第１および第２のインターロッキング特徴部は、前記埋め込み型アンテナの上の第１のポイントにおいて前記キャップを前記テーパ付きチャネルに結合するように構成され、
前記埋め込み型誘電体コンパートメントは、第３のインターロッキング特徴部を含み、前記キャップは、第４のインターロッキング特徴部を含み、前記第３および第４のインターロッキング特徴部は、第２のポイントにおいて前記キャップを前記テーパ付きチャネルに結合するように構成され、前記第３および第４のインターロッキング特徴部は、前記第１および第２のインターロッキング特徴部と離間し、
前記埋め込み型アンテナの遠位端は、前記第１、第２、第３、および第４のインターロッキング特徴部が前記テーパ付きチャネル内で前記埋め込み型アンテナの前記遠位端を固定するよう構成されるように、前記第１のポイントと前記第２のポイントとの間に実質的に位置するように構成されるシステム。
（付記１４）
前記埋め込み型誘電体コンパートメントは、第５のインターロッキング特徴部を含み、前記キャップは、第６のインターロッキング特徴部を含み、前記第５および第６のインターロッキング特徴部は、前記第１、第２、第３、および第４のインターロッキング特徴部から離れ、
前記第５および第６のインターロッキング特徴部は、第３のポイントにおいて前記キャップを前記テーパ付きチャネルに結合するように構成され、前記第１および第２のポイントは、前記埋め込み型誘電体コンパートメントの第１の面上に位置し、前記第３のポイントは、前記埋め込み型誘電体コンパートメントの第２の面上に位置し、前記第２の面は前記第１の面と異なる、付記１３に記載のシステム。
（付記１５）
方法であって、
埋め込み型誘電体コンパートメントの外側表面内にテーパ付きチャネルを設けることであって、前記テーパ付きチャネルは、埋め込み型アンテナの部分を、前記埋め込み型アンテナの前記部分の長さに沿った特定の形状で制限するように形成される、前記設けること、
前記埋め込み型アンテナを使用して、特定の動作周波数で電磁的に情報を無線で送信することを備え、
前記特定の周波数は、前記埋め込み型アンテナの前記部分の前記特定の形状に基づいて決定される、方法。
（付記１６）
前記電磁的に情報を無線で送信することは、前記埋め込み型アンテナを使用して生物学的媒体内から、特定の動作周波数で電磁的に情報を無線で送信することを含み、前記特定の動作周波数は、前記生物学的媒体内の前記埋め込み型アンテナの前記部分の前記特定の形状に基づいて決定される、付記１５に記載の方法。
（付記１７）
前記埋め込み型アンテナの断面積より小さい断面積を有する狭い部分を、前記テーパ付きチャネル内に設けることを含み、前記狭い部分は、前記埋め込み型アンテナを前記テーパ付きチャネル内部に配置するように形成される、付記１５又は１６に記載の方法。
（付記１８）
前記埋め込み型アンテナの前記部分を覆うポリマーと前記テーパ付きチャネルの前記狭い部分との間に締りばめを提供することを含み、前記テーパ付きチャネルは、前記埋め込み型アンテナのために前記特定の形状を提供するようにサイズ決定され形作られる、付記１７に記載の方法。
（付記１９）
前記テーパ付きチャネル内で前記埋め込み型アンテナの前記部分を覆い、前記テーパ付きチャネル内部で前記特定の形状で前記埋め込み型アンテナを配置するように構成されたキャップを設けることを含み、前記キャップは、前記埋め込み型誘電体コンパートメントの第１のインターロッキング特徴部および前記キャップの第２のインターロッキング特徴部を使用して前記テーパ付きチャネルに結合する、付記１５から１８のいずれか１項に記載の方法。
（付記２０）
前記キャップは、前記第１および第２のインターロッキング特徴部を使用して前記埋め込み型アンテナの上の第１のポイントで、前記第３および第４のインターロッキング特徴部を使用して第２のポイントで前記テーパ付きチャネルに結合し、前記埋め込み型アンテナはワイヤアンテナを含み、前記ワイヤアンテナの遠位端は、前記第１のポイントと前記第２のポイントとの間に実質的に位置するように構成される、付記１９に記載の方法。
【図１】
0005319778.tif 000002
【図２Ａ】
0005319778.tif 000003
【図２Ｂ】
0005319778.tif 000004
【図３Ａ】
0005319778.tif 000005
【図３Ｂ】
0005319778.tif 000006
【図３Ｃ】
0005319778.tif 000007
【図３Ｄ】
0005319778.tif 000008
【図３Ｅ】
0005319778.tif 000009
【図３Ｆ】
0005319778.tif 000010
【図４Ａ】
0005319778.tif 000011
【図４Ｂ】
0005319778.tif 000012
【図５】
0005319778.tif 000013